(57)【要約】【課題】水平偏向コイルの電子銃側後端に近接する垂直偏向コイルの電子銃側後端のコイル厚みが薄くなるため、垂直偏向コイルの巻線後のコイル成形が困難になるという問題があった。そこで垂直偏向コイルの電子銃側後端部の内面径を小さくすることが可能となり、垂直偏向コイル後端部のコイル厚みを大きくすることができ、垂直偏向コイルの巻線後の成形性を改善することができる偏向ヨークを提供することを目的とする。【解決手段】水平偏向コイル１４の渡り線部２０と渡り線部２１の略２段階の階段状に形成する。垂直偏向コイル１８の電子銃側後端部の内面径を小さくすることが可能となり、垂直偏向コイル後端部のコイル厚みを大きくすることができ、垂直偏向コイル１８の巻線後の成形性を改善できる。【選択図】図２
2005332740.tif 000002
【特許請求の範囲】
【請求項１】
一対の水平偏向コイルと一対の垂直偏向コイルからなる主偏向ヨークと、主偏向ヨークの電子銃側後方部に副偏向コイルを有する偏向ヨークであって、水平偏向コイルの電子銃側後端のコイル渡り線部はベンドアップ形状とせずブラウン管の管軸と直交する軸を中心にブラウン管の電子銃側ストレート部のガラス管に沿ってブラウン管の管軸と平行な方向に積み重ねるように巻線し、この水平偏向コイルの電子銃側後端の渡り線部が略２段階の階段状に形成したことを特徴とする偏向ヨーク。
【請求項２】
水平偏向コイルの電子銃側渡り線部のブラウン管と向き合う曲面の反対側の面である垂直偏向コイル側の曲面の形状が、一対の水平偏向コイル同士が向き合う軸上においては渡り線部のブラウン管管面側前方の水平偏向コイル部と同一径であり、一対の水平偏向コイル同士が向き合う軸上部分から離れるに従って水平偏向コイル渡り線部の垂直偏向コイル側の曲面を渡り線部のブラウン管管面側前方の水平偏向コイル部の外径より径を大きくし、一対の水平偏向コイルが向き合う軸とブラウン管の管軸とに直交する軸近傍で渡り線部のブラウン管管面側前方の径と渡り線部径の比が２段階の渡り線部のうちブラウン管スクリーン側で１：１．０５〜１：１．３５の範囲であり、２段階の渡り線部のうち電子銃側で１：１．１〜１：１．４の範囲であることを特徴とする請求項１に記載の偏向ヨーク。
【請求項３】
水平偏向コイルの電子銃側渡り線部のブラウン管と向き合う曲面の反対側の面である垂直偏向コイル側の曲面の形状が、一対の水平偏向コイル同士が向き合う軸上においては渡り線部のブラウン管管面側前方の水平偏向コイル部と同一径であり、一対の水平偏向コイル同士が向き合う軸上部分から離れるに従って水平偏向コイル渡り線部の垂直偏向コイル側の曲面を渡り線部のブラウン管管面側前方の水平偏向コイル部の外径より径を大きくし、一対の水平偏向コイルが向き合う軸とブラウン管の管軸とに直交する軸近傍で渡り線部のブラウン管管面側前方の径と渡り線部径の比が２段階の渡り線部のうちブラウン管スクリーン側で１：１．１〜１：１．４の範囲であり、２段階の渡り線部のうち電子銃側で１：１．０５〜１：１．３５の範囲であることを特徴とする請求項１に記載の偏向ヨーク。
【発明の詳細な説明】
【技術分野】
【０００１】
本発明は、ブラウン管三管方式投射型受像機、プロジェクター映写機に用いる偏向ヨークに関するものである。
【背景技術】
【０００２】
偏向ヨークは陰極線管（ブラウン管）の電子銃から射出される電子ビームを偏向させ、画面を表示させるものであり、一対の水平偏向コイルと一対の垂直偏向コイルを有している。
【０００３】
以下従来の偏向ヨークについて説明する。図１１は従来の偏向ヨークの構成図、図１２は従来の偏向ヨークの動作図、図１３は従来の偏向ヨークの画面歪み図、図１４は従来の副偏向ヨークの正面図、図１５は従来の副偏向ヨークの正面図、図１６は従来の偏向ヨークの分解斜視図、図１７は従来の偏向ヨークの主偏向コイルと副偏向コイルの側面図、図１８は従来の偏向ヨークの水平コイルの斜視図、図１９は従来の偏向ヨークの主偏向コイルと副偏向コイルの側面図、図２０は従来の偏向ヨークの断面図である。
【０００４】
図１１に示すように、副偏向ヨーク１は主偏向ヨーク２の電子銃側後端部にとりつけられており、一対のセンタリングマグネット３は副偏向ヨーク１を覆うカバー４に取り付けられている。カバー４にはさらに金属製の固定バンド５が取り付けられており、この固定バンド５によって偏向ヨーク１はブラウン管６に固定して使用される。ブラウン管６のガラス管は電子銃側のストレート部分６ａと管面側の略円錐形部分６ｂからなる。
【０００５】
偏向ヨークは図１２の偏向ヨークの動作を表す図に示すように、ブラウン管６に取り付けられブラウン管６の管面上に画像を作る水平及び垂直偏向磁界を形成している。投射型受像機やプロジェクター映写機においては、ブラウン管６の管面に設けた複数枚（図１２においては１枚のみ記載）のレンズ７によって画像を拡大しスクリーン８上に画像９を投影している。
【０００６】
投射型受像機及びプロジェクター映写機は赤、緑、青の３色のブラウン管を配置し３つの画像をスクリーン上で重ねて、カラー映像を得るものであるので、異なる角度から３つの画像をズレなく重ね合わせるために、画像の位置補正や図１３の副偏向ヨークが補正している画面歪みを表す図に示すような画像のピンクッション歪みの補正を行う副偏向コイルを設けて３色の画像を一致させている。
【０００７】
従来の副偏向ヨークは図１４、図１５の従来の副偏向ヨークの正面図に示すようにリング状のフェライトコア１０にトロイダル状に巻線された水平副偏向コイル１１、垂直副偏向コイル１２からなっている。図１４、図１５の１３はブラウン管のガラス管を表している。
【０００８】
従来の偏向ヨークでは水平偏向コイル及び垂直偏向コイルは図１６の従来の水平偏向コイル、垂直偏向コイルを表す図に示すような形状をしており、水平偏向コイル１４はブラウン管管軸と平行に銅線が走るコイル本体部と電子銃側後端部のコイルの折り返し部である渡り線部１５、スクリーン側先端のコイル折り返し部である渡り線部１６を有している。渡り線部１５及び１６はブラウン管管軸と垂直方向に銅線が走っており、この渡り線部１５及び１６から生じる磁力線はその向きが電子ビームの飛ぶ向きと平行であるため、電子ビームの偏向には寄与しない。
【０００９】
副偏向ヨークは図１１及び図１７の従来の主偏向コイルと副偏向コイルを表す図に示すように主偏向ヨークの電子銃側後端に設けられているが、水平偏向コイルの電子銃側の渡り線部１５から生じる磁力線１７を受けて、副偏向ヨーク１に誘導電圧が生じ、そのため画像にノイズが生じる問題があった。このノイズの問題を解決する手段として、図１８および図１９に示すように、水平偏向コイルの電子銃側後端のコイル渡り線部はベンドアップ形状とせずブラウン管の管軸と直交する軸を中心にブラウン管の電子銃側ストレート部のガラス管に沿ってブラウン管の管軸と平行な方向に積み重ねるように巻線するものが考案されている。
【特許文献１】実開昭６３−９５１６０号公報
【特許文献２】特開平３−２５７７４２号公報
【発明の開示】
【発明が解決しようとする課題】
【００１０】
上記従来の偏向ヨークでは水平偏向コイル及び垂直偏向コイルは、図２０に示すように水平偏向コイル１４の電子銃側後端に近接する垂直偏向コイル１８の電子銃側後端のコイル厚さ１９が薄くなるため、垂直偏向コイルの巻線後のコイル成形が困難になるという問題があった。
【００１１】
そこで本発明は、垂直偏向コイルの電子銃側後端部の内面径を小さくすることが可能となり、垂直偏向コイル後端部のコイル厚みを大きくすることができ、垂直偏向コイルの巻線後の成形性を改善することができる偏向ヨークを提供することを目的とする。
【課題を解決するための手段】
【００１２】
これらの課題を解決するために、本発明の偏向ヨークは一対の水平偏向コイルと一対の垂直偏向コイルからなる主偏向ヨークと、主偏向ヨークの電子銃側後方部に副偏向コイルを有する偏向ヨークであって、水平偏向コイルの電子銃側後端のコイル渡り線部はベンドアップ形状とせずブラウン管の管軸と直交する軸を中心にブラウン管の電子銃側ストレート部のガラス管に沿ってブラウン管の管軸と平行な方向に積み重ねるように巻線し、この水平偏向コイルの電子銃側後端の渡り線部が略２段階の階段状に形成した。
【発明の効果】
【００１３】
本発明によれば、垂直偏向コイルの電子銃側後端部の内面径を小さくすることが可能となり、垂直偏向コイル後端部のコイル厚みを大きくすることができ、垂直偏向コイルの巻線後の成形性を改善することができる
【発明を実施するための最良の形態】
【００１４】
（実施の形態１）
図１は本発明の実施の形態１における水平偏向コイルの斜視図、図２は本発明の実施の形態１における水平偏向コイルと垂直偏向コイルの断面図である。
【００１５】
図１および図２に示すように水平偏向コイルの電子銃側渡り線部は径小の部分の渡り線部２０と径大の部分の渡り線部２１を略階段状に設けており垂直偏向コイル１８の電子銃側後端部は絶縁用の樹脂成形枠２２を介して水平偏向コイル１４と組み合わせられるようになっている。
【００１６】
以上の構成により垂直偏向コイル１８の電子銃側後端部の厚さ１９ａは図２０の従来の偏向ヨークの垂直偏向コイル電子銃後端部のコイル厚さ１９より厚くすることができる。
【００１７】
（実施の形態２）
図３は本発明の実施の形態２における水平偏向コイルの側面図、図４、図５、図６は本
発明の実施の形態２における水平偏向コイルの断面図である。
【００１８】
図４は図３の２３の位置での断面、図５は図３の２４の位置での断面、図６は図３の２５の位置での断面を表している。
【００１９】
水平偏向コイル１４の電子銃側渡り線部のブラウン管と向き合う曲面２７の反対側の面、つまり垂直偏向コイル側の曲面２８の形状が一対の水平偏向コイル同士が向き合う軸の水平偏向コイルの水平軸３２上においては図４、図５、図６のいずれの位置でも径２６は同一であるが、一対の水平偏向コイルの水平軸３２上部分から離れるに従って水平偏向コイル渡り線部の垂直偏向コイル側の曲面が渡り線部のブラウン管の管面側前方の水平偏向コイル部の外径より径を大きくなり、一対の水平偏向コイルが向き合う軸とブラウン管の管軸とに直交する水平偏向コイルの垂直軸３３で渡り線部のブラウン管管面側前方の径と渡り線部径の関係が図４の位置では径２６＞径２９、図５の位置では径２６：径３０＝１：１．０５〜１．３５の範囲であり、図６の位置では径２６：径３１＝１：１．１〜１．４の範囲となるようにした。
【００２０】
（実施の形態３）
図７は本発明の実施の形態３における水平偏向コイルの側面図、図８、図９、図１０は本発明の実施の形態３における水平偏向コイルの断面図である。
【００２１】
図８は図７の３４の位置での断面、図９は図７の３５の位置での断面、図１０は図７の３６の位置での断面を表している。
【００２２】
水平偏向コイル１４の電子銃側渡り線部のブラウン管と向き合う曲面２７の反対側の面、つまり垂直偏向コイル側の曲面２８の形状が一対の水平偏向コイルの水平軸３２上においては図８、図９、図１０のいずれの位置でも径２６は同一であるが、一対の水平偏向コイルの水平軸３２上部分から離れるに従って水平偏向コイル渡り線部の垂直偏向コイル側の曲面が渡り線部のブラウン管管面側前方の水平偏向コイル部の外径より径を大きくなり、一対の水平偏向コイルが向き合う軸とブラウン管の管軸とに直交する水平偏向コイルの垂直軸３３で渡り線部のブラウン管管面側前方の径と渡り線部径の関係が図８の位置では径２６＞径３７、図９の位置では径２６：径３８＝１：１．１〜１．４の範囲であり、図１０の位置では径２６：径３９＝１：１．０５〜１．３５の範囲となるようにした。
【産業上の利用可能性】
【００２３】
以上のように本発明の偏向ヨークは、水平偏向コイルの電子銃側後端の渡り線部が略２段階の階段状に形成し、２段に設けた渡り線部のブラウン管スクリーン側の渡り線部の外形を、他方より小さくすることで、垂直偏向コイルの電子銃側後端部の内面径を小さくすることが可能となり、垂直偏向コイル後端部のコイル厚みを大きくすることができ、垂直偏向コイルの巻線後の成形性を改善することができる。
【図面の簡単な説明】
【００２４】
【図１】本発明の実施の形態１における水平偏向コイルの斜視図
【図２】本発明の実施の形態１における水平偏向コイルと垂直偏向コイルの断面図
【図３】本発明の実施の形態２における水平偏向コイルの側面図
【図４】本発明の実施の形態２における水平偏向コイルの断面図
【図５】本発明の実施の形態２における水平偏向コイルの断面図
【図６】本発明の実施の形態２における水平偏向コイルの断面図
【図７】本発明の実施の形態３における水平偏向コイルの側面図
【図８】本発明の実施の形態３における水平偏向コイルの断面図
【図９】本発明の実施の形態３における水平偏向コイルの断面図
【図１０】本発明の実施の形態３における水平偏向コイルの断面図
【図１１】従来の偏向ヨークの構成図
【図１２】従来の偏向ヨークの動作図
【図１３】従来の偏向ヨークの画面歪み図
【図１４】従来の副偏向ヨークの正面図
【図１５】従来の副偏向ヨークの正面図
【図１６】従来の偏向ヨークの分解斜視図
【図１７】従来の偏向ヨークの主偏向コイルと副偏向コイルの側面図
【図１８】従来の偏向ヨークの水平コイルの斜視図
【図１９】従来の偏向ヨークの主偏向コイルと副変更コイルの側面図
【図２０】従来の偏向ヨークの断面図
【符号の説明】
【００２５】
１    副偏向ヨーク
２    主偏向ヨーク
６    ブラウン管
６ａ    ストレート部分
６ｂ    ブラウン管の管面側
１１    略円錐形部分
１２    垂直副偏向コイル
１４    水平偏向コイル
１５    渡り線部
１６    渡り線部
１８    垂直偏向コイル
１９    コイル厚さ
２０    渡り線部
２１    渡り線部
２６    外曲面の半径
２９    外曲面の半径
３０    外曲面の半径
３２    水平偏向コイルの水平軸
３３    水平偏向コイルの垂直軸
３７    外曲面の半径
３８    外曲面の半径
３９    外曲面の半径
【図１】
2005332740.tif 000003
【図２】
2005332740.tif 000004
【図３】
2005332740.tif 000005
【図４】
2005332740.tif 000006
【図５】
2005332740.tif 000007
【図６】
2005332740.tif 000008
【図７】
2005332740.tif 000009
【図８】
2005332740.tif 000010
【図９】
2005332740.tif 000011
【図１０】
2005332740.tif 000012
【図１１】
2005332740.tif 000013
【図１２】
2005332740.tif 000014
【図１３】
2005332740.tif 000015
【図１４】
2005332740.tif 000016
【図１５】
2005332740.tif 000017
【図１６】
2005332740.tif 000018
【図１７】
2005332740.tif 000019
【図１８】
2005332740.tif 000020
【図１９】
2005332740.tif 000021
【図２０】
2005332740.tif 000022